(57)【要約】  【課題】テ−ブルを突き合わせて拡張した際に、配線を引き回す空間がなく天板上に配線類が乱雑に溢れ返り、テ−ブル周辺の居住性や機能性が大幅に低下している。【解決手段】 このテ−ブルＣは、天板８の縁部８１を、少なくとも直線部８１ａと、この直線部８１ａから突出し当接対象物たる同一構造の他のテーブルＣの縁部８１に当接したときに前記他のテーブルＣの縁部８１との間に隙間Ｓ６を形成するための該縁部８１の端部に設けた隆起部８１ｂとから構成しているとともに、前記隆起部８１ｂと前記直線部８１ａとを滑らかに接続している。【選択図】 図１３
2007313367.tif 000002
【特許請求の範囲】
【請求項１】
天板の縁部を、少なくとも直線部と、この直線部から突出し当接対象物に当接したときに該当接対象物との間に隙間を形成するための該縁部の端部に設けた隆起部とから構成しているものであって、
前記隆起部と前記直線部とを滑らかに接続していることを特徴とするテーブル。
【請求項２】
前記隆起部の前記直線部から最も突出した部位から該隆起部を設けた縁部の該隆起部側の端までの距離よりも、前記隆起部の前記直線部から最も突出した部位から該隆起部と前記直線部との境界までの距離を長く設定していることを特徴とする請求項１記載のテーブル。
【請求項３】
前記隆起部の前記直線部との境界部を前記直線部と滑らかに連続する曲線にしていることを特徴とする請求項１又は２記載のテーブル。
【請求項４】
前記隆起部の前記直線部との境界部の曲線の曲率半径を、前記隆起部と該隆起部を設けた縁部の該隆起部側の端に隣接する端縁との境界部の曲線の曲率半径よりも大きくしていることを特徴とする請求項３記載のテーブル。
【請求項５】
前記当接対象物が同一構造を有する他のテーブルの天板の隆起部を有する縁部である場合に、両テーブルの天板の直線部間に一定幅をなす隙間が形成されるようにしていることを特徴とする請求項１、２、３又は４記載のテーブル。
【発明の詳細な説明】
【技術分野】
【０００１】
本発明は、簡単な構造によって配線の引き回しの便を有効に向上させたテーブルに関するものである。
【背景技術】
【０００２】
近時におけるテーブルの利用形態として、通常は個別に使用されているものを必要に応じ集合させることによって随時大型の会議テーブルを構成するようにしている例が少なくない。このような利用形態によれば、会議テーブル用の特殊な大型天板を導入する必要がなく、平素からそのような大型天板がオフィスの一角を占有するような不都合も解消することができる。
【発明の開示】
【発明が解決しようとする課題】
【０００３】
ところで、この種の会議テーブルを構成する個々のテーブルの天板は、従来から単純な長方形状をなしており、天板を突き合わせた際に縁部同士が隙間なく密接に当接するようになっている。ところが、会議中にワープロやパソコン、或いはプロジェクタ等といった多種多様なＯＡ機器を扱う機会が著しく増大した今日においては、従来のような対応のみでは、せっかく会議用に拡張した天板上に多くの配線類が乱雑に溢れ返ることになり、その上、それらの配線類は天板の縁部のうち着座者に最も近くて邪魔になり易い縁部を通過して天板上に引き出されるため、テーブル周辺の居住性や機能性が大巾に低下するという新たな不都合を生じている。
【課題を解決するための手段】
【０００４】
上記の問題点を解決するために、本発明は、天板の形状を若干工夫するだけで、天板同士を突き合わせた際に配線引き回しのための隙間を簡単に形成できるようにしている。
【０００５】
すなわち、本発明のテーブルは、天板の縁部を、少なくとも直線部と、この直線部から突出し当接対象物に当接したときに該当接対象物との間に隙間を形成するための該縁部の端部に設けた隆起部とから構成しているものであって、前記隆起部と前記直線部とを滑らかに接続していることを特徴とする。
【０００６】
このような構成により、通常は単独で使用されるテーブルを必要に応じ隆起部が設けられた縁部同士を突き合わせて配置することによって、天板面が拡張され、その縁部間に、隆起部が介在することによる隙間が形成されることになる。このため、この隙間を利用すれば、床から立ち上げた配線を着座者の邪魔にならない位置から天板上に引き出すことができる。
【発明の効果】
【０００７】
本発明に係るテーブルの構成は、以上説明したような特徴を有するので、以下に記載されるような効果を奏する。
【０００８】
すなわち、本発明のテーブルは、天板の縁部を、少なくとも直線部と、この直線部から突出し当接対象物に当接したときに該当接対象物との間に隙間を形成するための該縁部の端部に設けた隆起部とから構成しているものであって、前記隆起部と前記直線部とを滑らかに接続していることを特徴としている。当接対象物に同一構造を有する他のテーブルの天板の縁部を含む場合には、テ−ブルの縁部同士を突き合わせて配置することにより天板面が拡張され、縁部間に隆起部により形成される隙間を利用して、床から立ち上げた配線を着座者の邪魔にならない位置から天板上に引き出すことが可能である。
【０００９】
このような構成のものならば、会議中、ワ−プロやパソコン或いはプロジェクタなどのＯＡ機器をフルに活用しても、テ−ブル上に配線類が乱雑に溢れ返ることなく有効に天板上を利用することができ、テ−ブル周辺の居住性や機能性の向上が促進される。
【発明を実施するための最良の形態】
【００１０】
本発明に係るテーブルは図１３に示されるようなものであるが、これに先立ち、より基礎的な構成を有するテーブルの例を、図１〜図１２を参照して説明する。
【００１１】
図１〜図４に示すテーブルＡと、図５〜図７に示すテーブルＢとは、互いに種類が異なるものであり、別途独立に使用できるのは勿論のこと、必要に応じて随時組をなして使用することもできるように構成されたものである。以下、順を追って説明する。
【００１２】
先ず、図１〜図４に示すテーブルＡは、矩形に近い平面形状をなす天板１の各コーナー部を４本の脚２１、２２、２３、２４によって支持されている。
【００１３】
天板１は、長手方向に沿って伸びる第１の縁部１１及び第２の縁部１２と、それらの縁部１１、１２間を連結する第３の縁部１３及び第４の縁部１４とによって略矩形状の平面形状が与えられたもので、具体的に説明すると、第１の縁部１１は一端近傍部から他端近傍部までの直線部１１ａと、この直線部１１ａの両端より該直線部１１ａに直交する方向に向けて突出する半円形状の隆起部１１ｂとから構成されている。第２の縁部１２は、全体が一端から他端に亘って緩やかなカーブを描いて外方に膨出する形状をなしている。第３の縁部１３及び第４の縁部１４は、前記第１の縁部１１の隆起部１１ｂの外方端と前記第２の縁部１２の側端とを結ぶ位置にあって直線形状をなしている。第１の縁部１１の直線部１１ａ、第３の縁部１３及び第４の縁部１４にはそれぞれ比較的柔軟な素材からなるバンパー部材１１ｃ、１３ａ、１４ａが取着されており、それ以外の天板１の各部は合板を始めとする各種天板素材によって一体に作られている。この天板１を支持する４本の脚２１、２２、２３、２４のうち、２本の脚２１、２２は滑動防止部材２５によって床面Ｆに安定的に接地し、他の２本の脚２３、２４はキャスタ２６によって床面Ｆに滑動自在に接地していて、第２の縁部１２を持ち上げた状態でキャスタ２６を利用してテーブルＡを移動させ得るようにしている。
【００１４】
一方、図５〜図７に示すテーブルＢは、半楕円形状に近い平面形状をなす天板３の下面を前記テーブルＡに付帯する脚２１〜２４と同一高さの４本の脚４１、４２、４３、４４によって支持されている。
【００１５】
天板３は、前記天板１の第３の縁部１３（又は第４の縁部１４）の２倍の長さを有する底縁部３１と、この底縁部３１の端部間を連結する曲線状縁部３２とによって略半楕円状の平面形状が与えられたもので、具体的に説明すると、底縁部３１は一端近傍部から他端近傍部までの直線部３１ａと、この直線部３１ａの両端より該直線部３１ａに直交する方向に向けて突出する、前記テーブルＡの隆起部１１ｂと同一半円形状の隆起部３１ｂとから構成されている。曲線状縁部３２は、前記底縁部３１を短軸とし、適宜の長さを長軸とする半楕円形状のものである。底縁部３１の直線部３１ａには比較的柔軟な素材からなるバンパー部材３１ｃが取着されており、それ以外の天板３の各部は合板を始めとする各種天板素材によって一体に作られている。そして、このテーブルＢも、天板３を支持する４本の脚４１〜４４のうち２本の脚４１、４２が滑動防止部材４５によって床面Ｆに安定的に接地し、他の２本の脚４３、４４がキャスタ４６によって床面Ｆに滑動自在に接地していて、曲線状縁部３２を持ち上げた状態でキャスタ４６を利用してテーブルＢを移動させ得るようにしている。
【００１６】
しかして、これらのテーブルＡ、Ｂは、通常、単独で使用するときは何れの縁部においても脚と干渉しない位置に椅子を配置することによって人が着座することができる。また、各々のテーブルＡ、Ｂを単独使用すると若干天板面積が不足気味となるような小規模の会議や打合せが行われる場合には、図８や図９に示すようにテーブルＡ、Ａ同士、あるいはＢ、Ｂ同士をそれらの縁部１１、３１を介して突き合わせることによって適宜天板面を有効に拡張することができる。しかも、この場合には、縁部１１（３１）の隆起部１１ｂ同士（３１ｂ同士）が当接し、それらの直線部１１ａ同士（３１ａ同士）は直接的には当接しないため、テーブルＡ、Ａ間（Ｂ、Ｂ間）には直線部１１ａ（３１ａ）と隆起部１１ｂ（３１ｂ）とによって囲まれる隙間Ｓ１（Ｓ２）が形成されることになる。このため、この隙間Ｓ１（Ｓ２）を利用すれば、床面Ｆから立ち上げた配線を着座者の邪魔にならない位置から天板１（３）上に引き出すことができる。
【００１７】
さらに、このようなテーブルＡ、Ａ同士、Ｂ、Ｂ同士の突き合わせによっても十分な天板面積が得られない場合には、図８に示したようなテーブルＡ、Ａの突き合わせ状態から更に、それらの縁部１３、１４に図１０に示すようにテーブルＢの縁部３１を突き合わせて配置すれば、天板面積をより大きく拡張することができる。そして、この場合にも縁部１３、３１間（１４、３１間）に隆起部３１ｂが介在することによる隙間Ｓ３が形成されるため、この隙間Ｓ３を配線挿通空間として有効に利用することができる。
【００１８】
ところで、以上におけるテーブルＡ、Ａ間（Ｂ、Ｂ間）の隙間Ｓ１（Ｓ２）は、隆起部１１ｂ同士（３１ｂ同士）が直接当接することによって個々の隆起部１１ｂ（３１ｂ）の隆起量の２倍の大きさのものになる。このため、その隙間Ｓ１（Ｓ２）を利用すれば、図１０に示すように配線具５やテーブル６を配置することも可能になる。配線具５は、床面Ｆからの配線をポール５１内部に収納し上端にその配線との接続を可能にするコンセント５２を装着したもので、ポール５１は上下方向に突没してコンセント５２を天板１、３よりも高い位置と低い位置とに選択的に切替えて配置できるように構成されているものである。また、テーブル６は、ＯＨＰ７等を配置するに適した天板面積を有するもので、支柱６２の背丈がテーブルＡ、Ｂの天板１、３よりも高く、天板６１がそれらの天板１、３と干渉しない位置に配置されるものである。このように、隆起部１１ｂ同士（３１ｂ同士）が当接するように構成することによって、テーブルＡ、Ｂを極端に異形なものにすることなく、テーブルＡ、Ｂを突き合わせた際の使い勝手を有効に向上させることができる。
【００１９】
なお、以上説明したテーブルＡ、Ｂは、単独使用する場合にも前記隆起部１１ｂ、３１ｂを利用して配線引き回しのための隙間を形成できるのは勿論である。すなわち、これらのテーブルＡ（Ｂ）はそれぞれ隆起部１１ｂ（３１ｂ）が縁部１１（３１）の２箇所に設けられているため、図１１（図１２）に示すように、これらの縁部１１（３１）を壁面Ｗに近付けると、隆起部１１ｂ（３１ｂ）が優先的に壁面Ｗに当接して、縁部１１（３１）、隆起部１１ｂ（３１ｂ）及び壁面Ｗによって囲まれる部位に配線引き回しのための隙間Ｓ４（Ｓ５）が有効に形成されることとなる。
【００２０】
また、隆起部が縁部の１箇所にのみ設けられていても、配線挿通用の隙間を形成することが可能となる。
【００２１】
しかして、本発明に係るテーブルＣは、図１３に示すように、天板８の縁部８１の端部の１箇所にのみ隆起部８１ｂが設けられていて、天板８の縁部８１同士を突き合わせた際に各天板８の縁部８１がそれぞれ対応する他の天板８の隆起部８１ｂ以外の直線部８１ａに当接するように設定されているものである。このようにしても、縁部８１間に有効な隙間Ｓ６を形成することができる。
【００２２】
なお、本実施例に供するテ−ブルは、一般的な机などの概念を含むものであり、各部の具体的な構成は、上述した実施例のみに限定されるものではなく、本発明の趣旨を逸脱しない範囲で種々変形が可能である。
【図面の簡単な説明】
【００２３】
【図１】基礎的な構成を有するテ−ブルＡを示す斜視図。
【図２】同平面図。
【図３】図２におけるＩＩＩ−ＩＩＩ線拡大端面図。
【図４】図２におけるＩＶ−ＩＶ線拡大端面図。
【図５】基礎的な構成を有するテ−ブルＢを示す斜視図。
【図６】同平面図。
【図７】図６におけるＶＩＩ−ＶＩＩ線端面図。
【図８】テ−ブルＡ同士を突き合わせた状態を示す斜視図。
【図９】テ−ブルＢ同士を突き合わせた状態を示す斜視図。
【図１０】テ−ブルＡ及びテーブルＢの一使用状態を示す斜視図。
【図１１】テ−ブルＡの一使用状態を示す平面図。
【図１２】テ−ブルＢの一使用状態を示す平面図。
【図１３】本発明の一実施例に係るテ−ブルＣを示す平面図。
【符号の説明】
【００２４】
Ａ…テ−ブル
１…天板
１１…縁部（第１の縁部）
１１ｂ…隆起部
１２…縁部（第２の縁部）
１３…縁部（第３の縁部）
１４…縁部（第４の縁部）
Ｂ…テ−ブル
３…天板
３１…縁部（底縁部）
３１ｂ…隆起部
３２…縁部（曲線状縁部）
Ｃ…テ−ブル
８…天板
８１…縁部
８１ｂ…隆起部
Ｓ１〜Ｓ６…隙間
【図１】
2007313367.tif 000003
【図２】
2007313367.tif 000004
【図３】
2007313367.tif 000005
【図４】
2007313367.tif 000006
【図５】
2007313367.tif 000007
【図６】
2007313367.tif 000008
【図７】
2007313367.tif 000009
【図８】
2007313367.tif 000010
【図９】
2007313367.tif 000011
【図１０】
2007313367.tif 000012
【図１１】
2007313367.tif 000013
【図１２】
2007313367.tif 000014
【図１３】
2007313367.tif 000015